(57)【要約】【課題】吊荷を吊り上げた状態でブームを起こす場合巻き取り荷重が大きくならず、容易にブームを起伏できる。            【解決手段】鉄塔の上端部に垂直に仮固定されたマストに、起伏自在に一端を取り付けたブームを設け、当該ブームの先端の滑車から、下端にフックを有する吊上げワイヤロープを下ろし、当該吊上げワイヤロープの他端をマスト上部の滑車に掛けてマストの下方で当該吊上げワイヤロープを操作して吊荷を吊り上げ又は吊り下げるデリックにおいて、前記マスト２を筒状として前記鉄塔２０の部材に周方向の回転を可能に支持し、マスト２の上部に頂部滑車２３を設け、前記ブーム３の先端に設けた軸受けフレーム２２ａに先端滑車２２を軸支し、前記吊上げワイヤロープ８の一端は、先端滑車２２及び頂部滑車２３に夫々掛け、吊上げワイヤロープ８の他端のフックに、軸受けフレーム２２ａに係止自在なストッパ７ａを設けた。【選択図】        図１
2010235265.tif 000002
【特許請求の範囲】
【請求項１】
組立又は解体途中の鉄塔の上端部に垂直に仮固定されたマストに、起伏自在に一端を取り付けたブームを設け、当該ブームの先端の滑車から、下端にフックを有する吊上げワイヤロープを下ろし、当該吊上げワイヤロープの他端をマスト上部の滑車に掛けてマストの下方で当該吊上げワイヤロープを操作して吊荷を吊り上げ又は吊り下げるデリックにおいて、
前記マストを筒状として前記鉄塔の上端部の部材に周方向の回転を可能として仮固定し、
当該マストの頂部に頂部滑車を設け、
前記ブームの先端に設けた軸受けフレームに軸支された先端滑車を設け、
前記吊上げワイヤロープの一端は、前記ブーム先端の軸受けフレーム内の先端滑車及びマストの前記頂部滑車に夫々掛けてマスト内に通して当該マストの下方に導出させ、
当該吊上げワイヤロープの他端に設けたフックの基端にストッパを設け、当該ストッパは、前記吊上げワイヤロープを引き上げると前記先端滑車の軸受けフレームに係止自在としたことを特徴とする、鉄塔組立・解体用デリック。
【請求項２】
前記ブームの中間部に一端を固定した起伏ロック用線条体の他端を、前記頂部滑車の下方のマストに設けた起伏ロック用滑車に掛けて下方に下ろし、前記マストに垂直方向に設けた多数の係止部の一つに係止自在とし、前記ブームから起伏ロック用滑車までの当該起伏ロック用線条体の長さを調節、固定自在な起伏ロック装置を設けたことを特徴とする、請求項１に記載の鉄塔組立・解体用デリック
【請求項３】
前記ブームの中間部に一端を固定した起伏ロック用線条体の他端を、前記頂部滑車の下方のマストに設けた起伏ロック用滑車に掛けて下方に下ろし、前記マストに設けたラチェット爪付きの巻き上げ機に固定し、前記ブームから起伏ロック用滑車までの当該起伏ロック用線条体の長さを調節、固定自在な起伏ロック装置を設けたことを特徴とする、請求項１に記載の鉄塔組立・解体用デリック。
【請求項４】
前記マストの頂部滑車とブームの先端滑車との間の吊上げワイヤロープを被うブーム押さえパイプを設け、当該ブーム押さえパイプは、複数の各短パイプの突き合わせ端を、一方の短パイプ内に他方の短パイプを挿入して、長さ方向に伸縮自在に接続し、これらの短パイプの前記頂部滑車に近い短パイプの一端を当該頂部滑車の軸受けに垂直方向に回転自在に取り付け、前記ブームの先端滑車に近い短パイプの一端を先端滑車の軸受けフレームに垂直方向に回転自在に取り付け、これらの複数の短パイプから成るブーム押さえパイプが常時長手方向に伸びるように付勢されたスプリングバネを当該ブーム押さえパイプに設けたことを特徴とする、請求項１〜３のいずれかに記載の鉄塔組立・解体用デリック。
【発明の詳細な説明】
【技術分野】
【０００１】
この発明は、鉄塔の組立及び解体に用いるための鉄塔組立・解体用デリックに関するものである。
【背景技術】
【０００２】
鉄塔の組立・解体装置及び方法が特許文献１に開示されている。この装置は、台棒を鉄塔に取り付け、組立後に取り外し、順次台棒を鉄塔の上方に移動させていくものである。しかし、特許文献１の装置では、台棒の鉄塔に対する取り付けと取り外しが面倒であり、作業を迅速に行うことが困難である。
【０００３】
そこで、本願の出願人は、図９に示すように、円筒状のマスト２と、一方の端部が前記マスト２に対して周方向に回転可能に取り付けた棒状のブーム３と、前記マスト２の外側を挿通可能なリング状の２個のマストガイド４、５と、前記マスト２の外周側に連続して突出するマスト基台６とを有し、前記ブーム３は前記マスト２に対して旋回部材を介して取り付けられ、前記マスト２は前記旋回部材１４の位置で切断され、上側のマスト２ａは、前記旋回部材１４とともに回転可能であり、前記ブーム３の先端には吊上げワイヤロープ８を介してフック７が備わり、当該吊上げワイヤロープ８は、前記旋回部材１４の上側に備わるガイドローラ９を通って前記マスト２内に通され、前記マスト２の下側から前記吊上げワイヤロープ８を操作することにより、前記フック７が上下移動可能であり、前記ブーム３の先端近傍には起伏ワイヤ１１の一方の端部が取り付けられ、当該起伏ワイヤ１１は前記マスト２の上端に備わる起伏ワイヤ用滑車１２を通り、前記起伏ワイヤ１１の他方の端部は前記マスト２に対して周方向に回転可能に固定され、前記ブーム３は、前記起伏ワイヤ１１の長さ調節をすることにより、前記ブーム３の前記マスト２に対する固定端部を支点にして回動可能であり、前記マストガイド４、５及びマスト基台６には、鉄塔２０の主材１９に固定するための固定ロープ１６、１７、１８が夫々連結され、前記マスト基台６には、前記鉄塔２０の主材１９に固定され、巻き上げ可能な揚重工具２１が連結された鉄塔組立・解体用デリック１を開発した。
【０００４】
この鉄塔組立・解体用デリック１では、吊荷の位置を変えるためのブーム起伏ワイヤ１１と吊荷の巻上・巻下げ用の吊上げワイヤロープ８との２本のワイヤを使用していた。吊上げワイヤロープ８はマスト内を通して地上まで下ろしてウインチで巻き取っているが、前記起伏ワイヤ１１は、ブーム３の旋回時に吊上げワイヤロープ８に絡みついて旋回できなくなるため、マスト２上部で巻き取っていた。
【０００５】
【特許文献１】特開２００５−６８８６４号公報
【発明の開示】
【発明が解決しようとする課題】
【０００６】
しかしながら、前記図９の鉄塔組立・解体用デリック１では鉄塔部材等の吊荷を吊り上げた状態でブーム３を起こす場合、起伏ワイヤ１１の巻き取り荷重が大きくなるため、巻き取り装置の操作に時間と労力を要していた。また、起伏ワイヤ１１を巻き取ってブーム３を起こす時、図１０（Ａ）に示すように、ブーム３が直立状態に近づくと、ブーム３を起こす方向の荷重が吊荷に比べて大きくなるため、ブーム３が急激に起き上がり、マスト２等に対し吊荷による衝撃が生じ、危険であった。また、図１０（Ｂ）に示すように、直立状態のブーム３で吊荷のない時には、前記起伏ワイヤ１１を緩めても、ブーム３の自重で伏せることができないため、ブーム３先端に取り付けた操作ロープ１０を地上から引いて伏せる必要があり、操作が面倒であった。
【０００７】
この発明はこのような従来技術を考慮したものであって、吊荷を吊り上げた状態でブームを起こす場合巻き取り荷重が大きくならず、容易にブームを起伏できる鉄塔組立・解体用デリックを提供することを目的としたものである。
【課題を解決するための手段】
【０００８】
そこで、請求項１の発明は、組立又は解体途中の鉄塔の上端部に垂直に仮固定されたマストに、起伏自在に一端を取り付けたブームを設け、当該ブームの先端の滑車から、下端にフックを有する吊上げワイヤロープを下ろし、当該吊上げワイヤロープの他端をマスト上部の滑車に掛けてマストの下方で当該吊上げワイヤロープを操作して吊荷を吊り上げ又は吊り下げるデリックにおいて、前記マストを筒状として前記鉄塔の上端部の部材に、周方向の回転を可能として仮固定し、当該マストの頂部に頂部滑車を設け、前記ブームの先端に設けた軸受けフレームに軸支された先端滑車を設け、前記吊上げワイヤロープの一端は、前記ブーム先端の軸受けフレーム内の先端滑車及びマストの前記頂部滑車に夫々掛けてマスト内に通して当該マストの下方に導出させ、当該吊上げワイヤロープの他端に設けたフックの基端にストッパを設け、当該ストッパは、前記吊上げワイヤロープを引き上げると前記先端滑車の軸受けフレームに係止自在とした、鉄塔組立・解体用デリックとした。
【０００９】
また、請求項２の発明は、前記請求項１の発明において、前記ブームの中間部に一端を固定した起伏ロック用線条体の他端を、前記頂部滑車の下方のマストに設けた起伏ロック用滑車に掛けて下方に下ろし、前記マストに垂直方向に設けた多数の係止部の一つに係止自在とし、前記ブームから起伏ロック用滑車までの当該起伏ロック用線条体の長さを調節、固定自在な起伏ロック装置を設けた、鉄塔組立・解体用デリックとした。
【００１０】
また、請求項３の発明は、前記請求項１の発明において、前記ブームの中間部に一端を固定した起伏ロック用線条体の他端を、前記頂部滑車の下方のマストに設けた起伏ロック用滑車に掛けて下方に下ろし、前記マストに設けたラチェット爪付きの巻き上げ機に固定し、前記ブームから起伏ロック用滑車までの当該起伏ロック用線条体の長さを調節、固定自在な起伏ロック装置を設けた、鉄塔組立・解体用デリックとした。
【００１１】
また、請求項４の発明は、前記請求項１〜３のいずれかの発明において、前記マストの頂部滑車とブームの先端滑車との間の吊上げワイヤロープを被うブーム押さえパイプを設け、当該ブーム押さえパイプは、複数の各短パイプの突き合わせ端を、一方の短パイプ内に他方の短パイプを挿入して、長さ方向に伸縮自在とし、これらの短パイプの前記頂部滑車に近い短パイプの一端を当該頂部滑車の軸受けに垂直方向に回転自在に取り付け、前記ブームの先端滑車に近い短パイプの一端を先端滑車の軸受けフレームに垂直方向に回転自在に取り付け、これらの複数の短パイプから成るブーム押さえパイプが常時長手方向に伸びるよう付勢されたスプリングバネを当該ブーム押さえパイプに設けた、鉄塔組立・解体用デリックとした。
【発明の効果】
【００１２】
請求項１の発明によれば、ブームの先端から垂下した吊上げワイヤロープで吊荷をブーム先端箇所まで吊り上げた状態で、吊上げワイヤロープのフックの基部のストッパが先端滑車の軸受けフレームに係止され、さらに地上からウインチ等で吊上げワイヤロープを巻き上げると、前記ブームは前記マストに対して起き上がる。従って、吊上げワイヤロープ１本で、吊荷の吊上げ、吊り下げ及びブームの起伏が可能である。また、ブームをマストに対して起こす際も、地上からウインチ等で吊上げワイヤロープを巻き上げればよく、巻き取り荷重が大きくならず、容易にブームを起伏できる。
【００１３】
また、請求項２及び３の発明によれば、上記請求項の発明の効果に加え、起伏ロック装置を有するため、前記吊上げワイヤロープの巻き取り、繰り出しでブームをマストに対して起こしたり伏せたりする際は、起伏ロック装置の起伏ロック線条体の係止、又はラチェット爪を外していなければならないが、ブームを任意の起伏箇所で止めた場合、前記起伏により起伏ロック線条体が緩んだ場合は、起伏ロック用線条体を緊張させて、その状態で容易かつ確実にロックすることができ、安全である。
【００１４】
また、請求項３の発明では、上記請求項の発明の効果に加え、吊荷を吊ったままブームを起こす時、ブームが直立近くになると吊上げワイヤロープによるブームを起こす方向の荷重が大きくなり、急激に起き上がり、大きな衝撃が生じて危険であるが、ブーム押さえパイプの外周に設けたスプリングバネの反発荷重により、ブームの急激な起き上がりを防ぐことができる。また、直立近くで起きている、空荷のブームをブーム押さえパイプのスプリングバネの力で伏せることができるので、従来のように地上から操作ロープをひかなくても容易にブームを伏せることができるので効率的である。
【発明を実施するための最良の形態】
【００１５】
この発明は、組立又は解体途中の鉄塔の上端部に垂直に仮固定されたマストに、起伏自在に一端を取り付けたブームを設け、当該ブームの先端の滑車から、下端にフックを有する吊上げワイヤロープを下ろし、当該吊上げワイヤロープの他端をマスト上部の滑車に掛けてマストの下方で当該吊上げワイヤロープを操作して吊荷を吊り上げ又は吊り下げるデリックにおいて、前記マストを筒状として前記鉄塔の上端部の部材に、周方向の回転を可能として仮固定し、当該マストの頂部に頂部滑車を設け、前記ブームの先端に設けた軸受けフレームに軸支された先端滑車を設け、前記吊上げワイヤロープの一端は、前記ブーム先端の軸受けフレーム内の先端滑車及びマストの前記頂部滑車に夫々掛けてマスト内に通して当該マストの下方に導出させ、当該吊上げワイヤロープの他端に設けたフックの基端にストッパを設け、当該ストッパは、前記吊上げワイヤロープを引き上げると前記先端滑車の軸受けフレームに係止自在とした、鉄塔組立・解体用デリックとした。
【実施例１】
【００１６】
以下、この発明の実施例１を図に基づいて説明する。
図１は、この発明の係る鉄塔組立・解体用デリックの概略正面図、図２はこの発明の要部の拡大正面図である。
【００１７】
図示したように、この発明に係る鉄塔組立・解体用デリック１は、マスト２と、ブーム３と、マストガイド４、５と、マスト基台６で構成される。マスト２は円筒形状であり、上端と下端は連通している。ブーム３は、棒状であり、一方の端部である基端部３ａにおいて、マスト２に、垂直方向に回転自在に取り付けられている。マストガイド４、５はリング状であり、マスト２を挿通して設けられている。マスト基台６は、マスト２の下端に備わり、マスト２の外周側に連続して突出形成されている。マスト基台６の外形は、マストガイド４、５と略同様の形状である。
【００１８】
ブーム３は、その基端部３ａにおいて、マスト２に対して、垂直方向に回転可能に取り付けられている。当該ブーム３の先端には、軸受けフレーム２２ａが取り付けられ、当該軸受けフレーム２２ａには先端滑車２２が軸支されている。そして吊上げワイヤロープ８をこの軸受けフレーム２２ａ内に通して先端滑車２２にかけ、その一端部を前記軸受けフレーム２２ａから導出してフック７に接続している。当該フック７の基部はストッパ７ａが形成され、前記吊上げワイヤロープ８を上方に引き上げると、当該ストッパ７ａが前記軸受けフレーム２２ａに引っ掛かる。従って、これ以上吊上げワイヤロープ８を引き上げると、ブーム３が前記基端部３ａを中心に垂直に回転し、ブーム３は起きる。
【００１９】
また、前記マスト２の頂部には、頂部滑車２３が設けられており、前記吊上げワイヤロープ８の他端部は、当該頂部滑車２３に掛けて、マスト２の内部に通されている。マスト２内に通された吊上げワイヤロープ８は、マスト２の下端から露出し、地上に設けられたウインチ（図示省略）のドラムに固定され、このウインチにより、吊上げワイヤロープ８の巻き取りや繰り出しが可能である。吊上げワイヤロープ８を巻き取れば、前記フック７が上昇し、繰り出せば前記フック７が下降する。そして、この吊上げワイヤロープ８を巻き取り、前記フック７のストッパ７ａが前記軸受けフレーム２２ａに引っかかると、そのまま前記ブーム３は起き上がり、また、吊上げワイヤロープ８を繰り出すと前記ブーム３は基端部３ａを中心に下方に回転し、伏せることとなる。
【００２０】
前記、マストガイド４、５及びマスト基台６は、夫々固定ロープ１６、１７、１８を介して鉄塔２０の４本の主材１９に固定されている。このように、マスト２の下端のマスト基台６を鉄塔２０に固定し、マスト２の中間部分をマストガイド４、５で支持しながら鉄塔２０に固定するので、マスト２は鉄塔２０内の中空でその軸がぶれることなく確実に保持されている。従って、ブーム３を操作して鉄塔を組み立てる際に、安全に作業することが出来る。
【００２１】
また、鉄塔２０の組立てに応じて、前記マスト２を組み立て中のマスト２に上端部に移動させるが、その際は、前記マスト基台６を支持している各固定ロープ１８の４本の主材１９への固定を解いて、各揚重工具２１の一端を前記マスト基台６に固定し、他端を主材１９の上部に固定し、各揚重工具２１に備えたウインチを作動さえて、マスト基台６を上方に移動させる。
【００２２】
図３は前記ブーム３の概略図である。図示したように、ブーム３は段差部３ｂを有する２枚の板材３ｃ、３ｃを対称にして重ねて形成されている。従って、ブーム３の一方の端部は二股に分かれ、この端部が前記基端部３ａとなり、この二股の基端部３ａでマスト２を挟持して軸支されている。また、他方の端部には前記軸受けフレーム２２ａ及び先端滑車２２が設けられている。また、このブーム３の中程の二股の各板材３ｃ、３ｃとの間に支持体２４が設けられ、さらに、このブーム３の先端部から中程にかけて、船底型のカバーフレーム２５が設けられている。
【００２３】
また、基端部３ａと段差部３ｂとの距離Ｌは、マスト２におけるブーム３の取り付け位置とマスト２の、頂部滑車２３を含めた上端との距離と略同一である。これにより、ブーム３の軸線とマスト２の軸線とを一致させるまで、ブーム３を起こすことが出来る。
【００２４】
また、当該マスト２の下端は、前記マスト基台６に取り付けられているが、図４に示すように、マスト基台６にベアリングを設けて、マスト２の周方向に回転可能に取り付けられている。従って、当該マスト２の外周に固定した旋回レバー２６を起こし、これに手を掛けてマスト２をその周方向に回し、ブーム３の水平方向の位置を変えることが出来る。
【００２５】
また、前記先端滑車２２と頂部滑車２３との間の吊上げワイヤロープ８には、図２に示すように、ブーム押さえパイプ２７が被冠されている。このブーム押さえパイプ２７は、その外周に設けたスプリングバネ２８により長手方向に伸びるように付勢され、従って、ブーム３は、常に図１及び図２に示す略水平位置に成るよう押し付けられている。
【００２６】
このブーム押さえパイプ２７は、図５に示すように、３本の各短パイプ２７ａの突き合わせ端を、一方の短パイプ２７ａ内に他方の短パイプ２７ａを夫々挿入して、長さ方向に伸縮自在に接続され、これらの短パイプ２７ａの前記頂部滑車２３に近い短パイプ２７の一端を二股に拡げて、当該頂部滑車２３の軸に垂直方向に回転自在に取り付け、前記ブーム３の先端滑車２２に近い短パイプ２７ａの一端を先端滑車２２の軸受けフレーム２２ａに垂直方向に回転自在に取り付け、これらの両端に位置する二つの短パイプ２７ａの外周に各端部を固定した、長手方向に伸びるよう付勢されたスプリングバネ２８を設けたものである。
【００２７】
前記のように、地上から吊上げワイヤロープ８をウインチ等で巻き取り、前記フック７のストッパ７ａが軸受けフレーム２２ａに当たってブーム３の先端が上方に回転するが、その際、前記ブーム押さえパイプ２７は、スプリングバネ２８の力に抗して縮む。また、ブーム３を伏せるように回転させると前記スプリングバネ２８の力でブーム押さえパイプ２７は長手方向に伸びる。
【００２８】
従って、マスト２の下方から吊上げワイヤロープ８を引っ張るとブーム３は起きるが、その先端がマスト２に近づき、直立状態に近くなると吊上げワイヤロープ８によるブーム３を起こす方向の荷重が大きくなり、急激に起き上がろうとするが、前記ブーム押さえパイプ２７の外周に設けたスプリングバネ２８の反発荷重により、ブーム３の急激な起き上がりを防ぐことができる。また、直立近くで起きている、空荷のブーム３を伏せる場合、ブーム押さえパイプ２７のスプリングバネ２８の力で、ブーム押さえパイプ２８は長手方向に伸びる力が働き、容易にブーム３を伏せることができる。
【００２９】
また、この鉄塔組立・解体用デリック１には、前記ブーム３の起伏の任意の位置で当該ブーム３をロックする起伏ロック装置３０を設けている。この起伏ロック装置３０は，図６に示すように、縦長の角筒状のケース３０ａから成り、前記頂部滑車２３の下方のマスト２に設けられている。また、この起伏ロック装置３０の上方のマスト２に固定スプロケット３１を軸支している。この固定スプロケット３１の下方の前記起伏ロック装置３０のケース３０ａ内を略垂直方向に上下する可動スプロケット３２を設け、前記ブーム３の支持体２４に一端を固定したストッパチェーン３３の他端を、前記固定スプロケット３１に上から掛け下方に下ろし、前記可動スプロケット３２の下部に掛けて上方に向け、前記固定スプロケット３１の下方のマスト２に固定している。
【００３０】
また、前記可動スプロケット３２は、ケース３０ａ内を上下方向にのみ移動自在な可動フレーム３４の上部に回転自在に軸支されている。そして、この可動フレーム３４の下部にはシャフト３５が設けられ、一端にツメを有する２つのツメ付きリンク３６、３６が前記シャフト３５で交差し、当該シャフト３５を中心として対称に軸支されている。これらの各ツメ付きリンク３６の下端に夫々リンク３７、３７の上部が軸支され、これらの各リンク３７の下端をシャフト３８で軸支し、当該シャフト３８に操作ロープ３９の一端が固定され、当該操作ロープ３９の他端は下方のマスト２の外周に設けたレバーロック４０に固定されている。
【００３１】
また、前記各ツメ付きリンク３６の下部と前記可動フレーム３４の間にはバネ４１を夫々設け、常に各ツメ付きリンク３６の先端が左右方向に開くよう付勢されている。一方、前記ケース３０ａは、図８に示すように、相対向する両側板に多数の係止孔４２が規則的に設けられ、前記２つの各ツメ付きリンク３６のツメがこれらの係止孔４２の一つに勘合、係止自在であり、常時前記バネ４１の力で各ツメ付きリンク３６の先端のツメが前記係止孔４２の一つに勘合されている。
【００３２】
そして、マスト２に設けた前記レバーブロック４０を解き、操作ロープ３９を図７に示すように、前記バネ４１の力に抗して下方に引っ張ると、各ツメ付きリンク３６はすぼまり、先端のツメがケース３０ａの左右の係止孔４２から外れ、この状態で操作ロープ２９を下方に引っ張りながら可動フレーム３４をケース３０ａ内で下に移動できる。また、前記ブーム３を倒す場合は、前記ブーム押さえパイプ２７の長手方向への伸びる力及びブーム３の自重により、前記ストッパチェーン３３が繰り出され、可動フレーム３４は、操作ロープ２９を下方に引っ張った状態で上方に移動できる。なお、前記可動フレーム３４は、前記ケース３０ａの上端に設けたストッパ体４３により上方への移動が規制されている。
【００３３】
この起伏ロック装置３０により、ブーム３の起伏動作を止めた位置で、操作ロープ３９を操作してブーム３とマスト２の間の前記ストッパチェーン３３を緊張させてロックする。
【００３４】
なお、この起伏ロック装置３０及びストッパチェーン３３は上記実施例のものに限定されない。例えば、ストッパチェーンに代えて、適宜の起伏ロック用線条体でもよい。さらに、一端を前記ブーム３の中程に固定した起伏ロック用線条体の他端を、マスト２に設けたラチェット爪付きの巻き上げ機に固定し、この起伏ロック用線条体を巻き上げ機で巻き上げる構成の起伏ロック装置としてもよい。
【図面の簡単な説明】
【００３５】
【図１】この発明の実施例１の概略正面図である。
【図２】この発明の実施例１の要部拡大正面図である。
【図３】この発明の実施例１のブームの拡大図で、（Ａ）図は平面図、（Ｂ）図は正面図である。
【図４】この発明の実施例１のマスト基台の拡大正面図である。
【図５】この発明の実施例１のブーム押さえパイプの分解図である。
【図６】この発明の実施例１の起伏ロック装置のロック状態の縦断面図である。
【図７】この発明の実施例１の起伏ロック装置のロックを解除した状態の縦断面図である。
【図８】この発明の実施例１の起伏ロック装置のケースの説明図で、（Ａ）図は側面図、（Ｂ）は正面図、（Ｃ）は平面図である。
【図９】従来例の正面図である。
【図１０】（Ａ）図、（Ｂ）図は、夫々従来例における使用説明図である。
【符号の説明】
【００３６】
１      鉄塔組立・解体用デリック    ２      マスト
３      ブーム                      ３ａ    基端部
３ｂ    段差部                      ３ｃ    板材
４      マストガイド                ５      マストガイド
６      マスト基台                  ７      フック
７ａ    ストッパ                    ８      吊上げワイヤロープ          
１６      固定ロープ                １７      コテイロープ
１８      固定ロープ                １９      主材
２０      鉄塔                      ２１      揚重工具
２２      先端滑車                  ２２ａ    軸受けフレーム
２３      頂部滑車                  ２４      支持体
２５      カバーフレーム            ２６      旋回レバー
２７      ブーム押さえパイプ        ２８      スプリングバネ
３０      起伏ロック装置            ３１      固定スプロケット
３２      可動スプロケット          ３３      ストッパチェーン
３４      可動フレーム              ３５      シャフト
３６      ツメ付きリック            ３７      リンク
３８        シャフト                ３９      操作ロープ
４０        レバーロック            ４１      バネ
４２      係止孔                    ４５      ストッパ体
【図１】
2010235265.tif 000003
【図２】
2010235265.tif 000004
【図３】
2010235265.tif 000005
【図４】
2010235265.tif 000006
【図５】
2010235265.tif 000007
【図６】
2010235265.tif 000008
【図７】
2010235265.tif 000009
【図８】
2010235265.tif 000010
【図９】
2010235265.tif 000011
【図１０】
2010235265.tif 000012